(57)【要約】【課題】人手による評価よりコストを低くすることができ、従来の自動評価システムよりも評価の信頼性を高めるようにした翻訳品質モデル生成装置を提供する。【解決手段】翻訳品質モデル生成装置の第１のログ記憶手段は、第１の言語で記載された原Ｗｅｂページを機械翻訳システムによって第２の言語に翻訳した第１のＷｅｂページに対する操作者の操作のログを記憶し、第２のログ記憶手段は、原Ｗｅｂページを翻訳者によって第２の言語に翻訳した第２のＷｅｂページに対する操作者の操作のログを記憶し、算出手段は、第１のログ記憶手段に記憶されたログと第２のログ記憶手段に記憶されたログを用いて、機械翻訳システムの翻訳品質を示す値を算出し、モデル生成手段は、第１のログ記憶手段に記憶されたログを用いて、算出手段によって算出された翻訳品質値を予測するモデルを生成する。【選択図】図１
2014241069.tif 000002
【特許請求の範囲】
【請求項１】
第１の言語で記載された原Ｗｅｂページを機械翻訳システムによって第２の言語に翻訳した第１のＷｅｂページに対する操作者の操作のログを記憶している第１のログ記憶手段と、
前記原Ｗｅｂページを翻訳者によって前記第２の言語に翻訳した第２のＷｅｂページに対する操作者の操作のログを記憶している第２のログ記憶手段と、
前記第１のログ記憶手段に記憶されたログと前記第２のログ記憶手段に記憶されたログを用いて、前記機械翻訳システムの翻訳品質を示す値を算出する算出手段と、
前記第１のログ記憶手段に記憶されたログを用いて、前記算出手段によって算出された翻訳品質値を予測するモデルを生成するモデル生成手段
を具備することを特徴とする翻訳品質モデル生成装置。
【請求項２】
前記算出手段は、前記第１のＷｅｂページに対する操作者の操作のログと前記第２のＷｅｂページに対する操作者の操作のログとの比率を用いて前記翻訳品質値を算出する
ことを特徴とする請求項１に記載の翻訳品質モデル生成装置。
【請求項３】
前記モデル生成手段は、前記第１のログ記憶手段に記憶されたログ内の各項目に対する係数を算出することによって、前記モデルを生成する
ことを特徴とする請求項１又は２に記載の翻訳品質モデル生成装置。
【請求項４】
前記モデル生成手段は、前記係数の絶対値と予め定められた値を比較することによって、前記モデルを修正する
ことを特徴とする請求項３に記載の翻訳品質モデル生成装置。
【請求項５】
第１の言語で記載された原Ｗｅｂページを機械翻訳システムによって第２の言語に翻訳したＷｅｂページに対する操作者の操作のログを記憶している第３のログ記憶手段と、
前記請求項１に記載の翻訳品質モデル生成装置によって生成されたモデルを用いて、前記第３のログ記憶手段に記憶されたログから前記機械翻訳システムによって翻訳したＷｅｂページにおける翻訳品質値を算出する算出手段
を具備することを特徴とする翻訳品質値算出装置。
【請求項６】
第１の言語で記載された原Ｗｅｂページを機械翻訳システムによって第２の言語に翻訳した第１のＷｅｂページに対する操作者の操作のログを記憶している第１のログ記憶手段と、
前記原Ｗｅｂページを翻訳者によって前記第２の言語に翻訳した第２のＷｅｂページに対する操作者の操作のログを記憶している第２のログ記憶手段と、
前記第１のログ記憶手段に記憶されたログと前記第２のログ記憶手段に記憶されたログを用いて、前記機械翻訳システムの翻訳品質を示す値を算出する算出手段と、
前記第１のログ記憶手段に記憶されたログを用いて、前記算出手段によって算出された翻訳品質値を予測するモデルを生成するモデル生成手段と、
第１の言語で記載された原Ｗｅｂページを前記機械翻訳システムによって第２の言語に翻訳したＷｅｂページに対する操作者の操作のログを記憶している第３のログ記憶手段と、
前記モデル生成手段によって生成されたモデルを用いて、前記第３のログ記憶手段に記憶されたログから前記機械翻訳システムによって翻訳したＷｅｂページにおける翻訳品質値を算出する算出手段
を具備することを特徴とする翻訳品質値算出装置。
【請求項７】
第１の言語で記載された原Ｗｅｂページを機械翻訳システムによって第２の言語に翻訳した第１のＷｅｂページに対する操作者の操作のログを記憶している第１のログ記憶手段と、
前記原Ｗｅｂページを翻訳者によって前記第２の言語に翻訳した第２のＷｅｂページに対する操作者の操作のログを記憶している第２のログ記憶手段を具備する翻訳品質モデル生成装置が行う翻訳品質モデル生成方法であって、
前記第１のログ記憶手段に記憶されたログと前記第２のログ記憶手段に記憶されたログを用いて、前記機械翻訳システムの翻訳品質を示す値を算出する算出ステップと、
前記第１のログ記憶手段に記憶されたログを用いて、前記算出ステップによって算出された翻訳品質値を予測するモデルを生成するモデル生成ステップ
を具備することを特徴とする翻訳品質モデル生成方法。
【請求項８】
第１の言語で記載された原Ｗｅｂページを機械翻訳システムによって第２の言語に翻訳したＷｅｂページに対する操作者の操作のログを記憶している第３のログ記憶手段を具備する翻訳品質値算出装置が行う翻訳品質値算出方法であって、
前記請求項７に記載の翻訳品質モデル生成方法によって生成されたモデルを用いて、前記第３のログ記憶手段に記憶されたログから前記機械翻訳システムによって翻訳したＷｅｂページにおける翻訳品質値を算出する算出ステップ
を具備することを特徴とする翻訳品質値算出方法。
【請求項９】
第１の言語で記載された原Ｗｅｂページを機械翻訳システムによって第２の言語に翻訳した第１のＷｅｂページに対する操作者の操作のログを記憶している第１のログ記憶手段と、
前記原Ｗｅｂページを翻訳者によって前記第２の言語に翻訳した第２のＷｅｂページに対する操作者の操作のログを記憶している第２のログ記憶手段を具備するコンピュータを、
前記第１のログ記憶手段に記憶されたログと前記第２のログ記憶手段に記憶されたログを用いて、前記機械翻訳システムの翻訳品質を示す値を算出する算出手段と、
前記第１のログ記憶手段に記憶されたログを用いて、前記算出手段によって算出された翻訳品質値を予測するモデルを生成するモデル生成手段
として機能させるための翻訳品質モデル生成プログラム。
【請求項１０】
第１の言語で記載された原Ｗｅｂページを機械翻訳システムによって第２の言語に翻訳したＷｅｂページに対する操作者の操作のログを記憶している第３のログ記憶手段を具備するコンピュータを、
前記請求項９に記載の翻訳品質モデル生成プログラムによって生成されたモデルを用いて、前記第３のログ記憶手段に記憶されたログから前記機械翻訳システムによって翻訳したＷｅｂページにおける翻訳品質値を算出する算出手段
として機能させるための翻訳品質値算出プログラム。
【発明の詳細な説明】
【技術分野】
【０００１】
本発明は、機械翻訳システムを用いて翻訳されたＷｅｂページに対して、翻訳品質を評価するための翻訳品質モデル生成装置、翻訳品質値算出装置、翻訳品質モデル生成方法、翻訳品質値算出方法、翻訳品質モデル生成プログラム及び翻訳品質値算出プログラムに関する。
【背景技術】
【０００２】
インターネットにおけるＷｅｂページにおいて、ユーザが用いる言語（母国語）とは異なる言語（外国語）で作成されたＷｅｂページを翻訳して、そのユーザがアクセスしても理解できるようにすることが行われている。その翻訳は、一般的に機械翻訳システムが用いられている。機械翻訳システムを用いた翻訳の場合、翻訳者が翻訳を行った場合と比べると、翻訳品質の劣ることが多い。
したがって、機械翻訳システムを用いて翻訳されたＷｅｂページに対して、翻訳品質を評価することが行われている。例えば、自動評価指標としてのＢＬＥＵ（ＢｉＬｉｎｇｕａｌ  Ｅｖａｌｕａｔｉｏｎ  Ｕｎｄｅｒｓｔｕｄｙ）等がある。
また、関連する技術として、特許文献１、特許文献２等がある。
【０００３】
特許文献１には、翻訳精度を向上させる機械翻訳装置を提供することを課題とし、原言語文を入力する入力部と、原言語文を構文解析して構文情報を生成する構文解析部と、構文情報の節点を最上位の節点とし、最上位の節点より下位の全ての節点を含む第１部分構造と対応する形態素とを含む第１部分情報を構文情報から抽出し、２つの第１部分情報の差分を表す第２部分木と対応する形態素とを含む第２部分情報を構文情報から抽出する抽出部と、各部分情報の形態素を複数の翻訳方式で翻訳する翻訳部と、部分訳情報の組み合わせのうち翻訳スコアの平均値が最大となる組み合わせを選択する最尤構造選択部と、選択された組み合わせの翻訳結果を結合した目的言語文を生成する生成部と、目的言語文を出力する出力部と、を備えたことが開示されている。
【０００４】
特許文献２には、言語翻訳を取得するシステム及び方法を提供することを課題とし、発信者は、翻訳すべき文章の一節をサーバーに送信することにより、翻訳を依頼してもよく、サーバーは、送信された一節を、翻訳候補者に同報通信し、翻訳者は、発信者と接続されていてもよく及び／又は互いにソーシャルネットワークを通じて繋がっていてもよく、一部の又は全ての翻訳候補者が、サーバーを通じて、発信者に、一節の翻訳を返信し、発信者は、最も望ましい翻訳を選択して、それをサーバーに知らせ、交換取引又はバーター取引の一部として、翻訳サービスが提供されてもよく、サーバーは、選択された翻訳を行った翻訳者にクレジットを付与してもよく、翻訳者は、後に行われる取引又は他の取引において、このクレジットを利用してもよいことが開示されている。
【先行技術文献】
【特許文献】
【０００５】
【特許文献１】特開２００９−２１７３６０号公報
【特許文献２】特開２０１１−１２３８７１号公報
【発明の概要】
【発明が解決しようとする課題】
【０００６】
機械翻訳システムを用いて翻訳されたＷｅｂページに対して、翻訳品質を評価する場合において、ＢＬＥＵ等の自動評価システムでは、その評価の信頼性は人手による評価と比較すると低い。一方、人手による評価は、その評価の信頼性は高いが、コストが高くなる。
本発明は、このような背景技術の状況の中でなされたもので、人手による評価よりコストを低くすることができ、従来の自動評価システムよりも評価の信頼性を高めるようにした翻訳品質モデル生成装置、翻訳品質値算出装置、翻訳品質モデル生成方法、翻訳品質値算出方法、翻訳品質モデル生成プログラム及び翻訳品質値算出プログラムを提供することを目的としている。
【課題を解決するための手段】
【０００７】
かかる目的を達成するための本発明の要旨とするところは、次の各項の発明に存する。
［１］の発明は、第１の言語で記載された原Ｗｅｂページを機械翻訳システムによって第２の言語に翻訳した第１のＷｅｂページに対する操作者の操作のログを記憶している第１のログ記憶手段と、前記原Ｗｅｂページを翻訳者によって前記第２の言語に翻訳した第２のＷｅｂページに対する操作者の操作のログを記憶している第２のログ記憶手段と、前記第１のログ記憶手段に記憶されたログと前記第２のログ記憶手段に記憶されたログを用いて、前記機械翻訳システムの翻訳品質を示す値を算出する算出手段と、前記第１のログ記憶手段に記憶されたログを用いて、前記算出手段によって算出された翻訳品質値を予測するモデルを生成するモデル生成手段を具備することを特徴とする翻訳品質モデル生成装置である。
【０００８】
［２］の発明は、前記算出手段は、前記第１のＷｅｂページに対する操作者の操作のログと前記第２のＷｅｂページに対する操作者の操作のログとの比率を用いて前記翻訳品質値を算出することを特徴とする［１］に記載の翻訳品質モデル生成装置である。
【０００９】
［３］の発明は、前記モデル生成手段は、前記第１のログ記憶手段に記憶されたログ内の各項目に対する係数を算出することによって、前記モデルを生成することを特徴とする［１］又は［２］に記載の翻訳品質モデル生成装置である。
【００１０】
［４］の発明は、前記モデル生成手段は、前記係数の絶対値と予め定められた値を比較することによって、前記モデルを修正することを特徴とする［３］に記載の翻訳品質モデル生成装置である。
【００１１】
［５］の発明は、第１の言語で記載された原Ｗｅｂページを機械翻訳システムによって第２の言語に翻訳したＷｅｂページに対する操作者の操作のログを記憶している第３のログ記憶手段と、前記［１］に記載の翻訳品質モデル生成装置によって生成されたモデルを用いて、前記第３のログ記憶手段に記憶されたログから前記機械翻訳システムによって翻訳したＷｅｂページにおける翻訳品質値を算出する算出手段を具備することを特徴とする翻訳品質値算出装置である。
【００１２】
［６］の発明は、第１の言語で記載された原Ｗｅｂページを機械翻訳システムによって第２の言語に翻訳した第１のＷｅｂページに対する操作者の操作のログを記憶している第１のログ記憶手段と、前記原Ｗｅｂページを翻訳者によって前記第２の言語に翻訳した第２のＷｅｂページに対する操作者の操作のログを記憶している第２のログ記憶手段と、前記第１のログ記憶手段に記憶されたログと前記第２のログ記憶手段に記憶されたログを用いて、前記機械翻訳システムの翻訳品質を示す値を算出する算出手段と、前記第１のログ記憶手段に記憶されたログを用いて、前記算出手段によって算出された翻訳品質値を予測するモデルを生成するモデル生成手段と、第１の言語で記載された原Ｗｅｂページを前記機械翻訳システムによって第２の言語に翻訳したＷｅｂページに対する操作者の操作のログを記憶している第３のログ記憶手段と、前記モデル生成手段によって生成されたモデルを用いて、前記第３のログ記憶手段に記憶されたログから前記機械翻訳システムによって翻訳したＷｅｂページにおける翻訳品質値を算出する算出手段を具備することを特徴とする翻訳品質値算出装置である。
【００１３】
［７］の発明は、第１の言語で記載された原Ｗｅｂページを機械翻訳システムによって第２の言語に翻訳した第１のＷｅｂページに対する操作者の操作のログを記憶している第１のログ記憶手段と、前記原Ｗｅｂページを翻訳者によって前記第２の言語に翻訳した第２のＷｅｂページに対する操作者の操作のログを記憶している第２のログ記憶手段を具備する翻訳品質モデル生成装置が行う翻訳品質モデル生成方法であって、前記第１のログ記憶手段に記憶されたログと前記第２のログ記憶手段に記憶されたログを用いて、前記機械翻訳システムの翻訳品質を示す値を算出する算出ステップと、前記第１のログ記憶手段に記憶されたログを用いて、前記算出ステップによって算出された翻訳品質値を予測するモデルを生成するモデル生成ステップを具備することを特徴とする翻訳品質モデル生成方法である。
【００１４】
［８］の発明は、第１の言語で記載された原Ｗｅｂページを機械翻訳システムによって第２の言語に翻訳したＷｅｂページに対する操作者の操作のログを記憶している第３のログ記憶手段を具備する翻訳品質値算出装置が行う翻訳品質値算出方法であって、前記［７］に記載の翻訳品質モデル生成方法によって生成されたモデルを用いて、前記第３のログ記憶手段に記憶されたログから前記機械翻訳システムによって翻訳したＷｅｂページにおける翻訳品質値を算出する算出ステップを具備することを特徴とする翻訳品質値算出方法である。
【００１５】
［９］の発明は、第１の言語で記載された原Ｗｅｂページを機械翻訳システムによって第２の言語に翻訳した第１のＷｅｂページに対する操作者の操作のログを記憶している第１のログ記憶手段と、前記原Ｗｅｂページを翻訳者によって前記第２の言語に翻訳した第２のＷｅｂページに対する操作者の操作のログを記憶している第２のログ記憶手段を具備するコンピュータを、前記第１のログ記憶手段に記憶されたログと前記第２のログ記憶手段に記憶されたログを用いて、前記機械翻訳システムの翻訳品質を示す値を算出する算出手段と、前記第１のログ記憶手段に記憶されたログを用いて、前記算出手段によって算出された翻訳品質値を予測するモデルを生成するモデル生成手段として機能させるための翻訳品質モデル生成プログラムである。
【００１６】
［１０］の発明は、第１の言語で記載された原Ｗｅｂページを機械翻訳システムによって第２の言語に翻訳したＷｅｂページに対する操作者の操作のログを記憶している第３のログ記憶手段を具備するコンピュータを、前記［９］に記載の翻訳品質モデル生成プログラムによって生成されたモデルを用いて、前記第３のログ記憶手段に記憶されたログから前記機械翻訳システムによって翻訳したＷｅｂページにおける翻訳品質値を算出する算出手段として機能させるための翻訳品質値算出プログラムである。
【発明の効果】
【００１７】
本発明にかかる翻訳品質モデル生成装置、翻訳品質値算出装置、翻訳品質モデル生成方法、翻訳品質値算出方法、翻訳品質モデル生成プログラム及び翻訳品質値算出プログラムによれば、機械翻訳システムを用いて翻訳されたＷｅｂページに対して、翻訳品質を評価する場合において、人手による評価よりコストを低くすることができ、従来の自動評価システムよりも評価の信頼性を高めることができる。
【図面の簡単な説明】
【００１８】
【図１】本実施の形態（翻訳品質モデル生成装置）の構成例についての概念的なモジュール構成図である。
【図２】本実施の形態（翻訳品質スコア算出装置）の構成例についての概念的なモジュール構成図である。
【図３】本実施の形態（翻訳品質モデル生成装置、翻訳品質スコア算出装置）における主にデータの流れの例を示す説明図である。
【図４】本実施の形態を実現するためのシステム構成例を示す説明図である。
【図５】本実施の形態（翻訳品質モデル生成装置）による処理例を示すフローチャートである。
【図６】本実施の形態（翻訳品質スコア算出装置）による処理例を示すフローチャートである。
【図７】操作ログテーブルのデータ構造例を示す説明図である。
【図８】本実施の形態を実現するコンピュータのハードウェア構成例を示すブロック図である。
【発明を実施するための形態】
【００１９】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２０】
本実施の形態である翻訳品質モデル生成装置１００は、機械翻訳システムを用いて翻訳されたＷｅｂページに対して、翻訳品質を評価するための翻訳品質モデルを生成するものであって、図１の例に示すように、機械翻訳ページログ収集モジュール１１０Ａ、人手翻訳ページログ収集モジュール１１０Ｂ、機械翻訳ページログ記憶モジュール１２０Ａ、人手翻訳ページログ記憶モジュール１２０Ｂ、翻訳品質スコア算出モジュール１３０、モデル生成モジュール１４０を有している。
【００２１】
機械翻訳ページログ収集モジュール１１０Ａは、機械翻訳ページログ記憶モジュール１２０Ａと接続されている。機械翻訳ページログ収集モジュール１１０Ａは、第１の言語で記載された原Ｗｅｂページを機械翻訳システムによって第２の言語に翻訳した第１のＷｅｂページに対する操作者の操作のログを収集する。ここで第１の言語は、原Ｗｅｂページの記載に用いられている言語であり、例えば、英語等がある。第２の言語は、原Ｗｅｂページにアクセスしたいユーザが読むことができる言語であり、例えば、日本語等がある。そのユーザにとっては、一般的に、第１の言語は外国語であり、第２の言語は母国語となる。第１のＷｅｂページは、機械翻訳システムによって翻訳されたＷｅｂページである。
人手翻訳ページログ収集モジュール１１０Ｂは、人手翻訳ページログ記憶モジュール１２０Ｂと接続されている。人手翻訳ページログ収集モジュール１１０Ｂは、第１の言語で記載された原Ｗｅｂページを翻訳者によって第２の言語に翻訳した第１のＷｅｂページに対する操作者の操作のログを収集する。第２のＷｅｂページは、翻訳者によって翻訳されたＷｅｂページである。一般的に、第２のＷｅｂページは、第１のＷｅｂページよりも翻訳品質が高い。
機械翻訳ページログ収集モジュール１１０Ａ、人手翻訳ページログ収集モジュール１１０Ｂにおけるログの収集は、そのＷｅｂページを表示している端末が収集し、その収集したログを機械翻訳ページログ収集モジュール１１０Ａ、人手翻訳ページログ収集モジュール１１０Ｂに対して送信してもよいし、そのＷｅｂページに対する指示を受け付けるＷｅｂサーバーがログを収集し、その収集したログを機械翻訳ページログ収集モジュール１１０Ａ、人手翻訳ページログ収集モジュール１１０Ｂに対して送信してもよい。
【００２２】
機械翻訳ページログ記憶モジュール１２０Ａは、機械翻訳ページログ収集モジュール１１０Ａ、翻訳品質スコア算出モジュール１３０、モデル生成モジュール１４０と接続されている。機械翻訳ページログ記憶モジュール１２０Ａは、第１の言語で記載された原Ｗｅｂページを機械翻訳システムによって第２の言語に翻訳した第１のＷｅｂページに対する操作者の操作のログを記憶している。
人手翻訳ページログ記憶モジュール１２０Ｂは、人手翻訳ページログ収集モジュール１１０Ｂ、翻訳品質スコア算出モジュール１３０、モデル生成モジュール１４０と接続されている。人手翻訳ページログ記憶モジュール１２０Ｂは、第１の言語で記載された原Ｗｅｂページ（機械翻訳ページログ記憶モジュール１２０Ａで対象としている原Ｗｅｂページと同じＷｅｂページ）を翻訳者によって第２の言語に翻訳した第２のＷｅｂページに対する操作者の操作のログを記憶している。
機械翻訳ページログ記憶モジュール１２０Ａ、人手翻訳ページログ記憶モジュール１２０Ｂが記憶しているログとしては、例えば、操作ログテーブル７００がある。図７は、操作ログテーブル７００のデータ構造例を示す説明図である。操作ログテーブル７００は、ＵＲＬ欄７０２、配信日時欄７０４、操作欄７０６、操作対象欄７０８、操作日時欄７１０等を有している。ＵＲＬ欄７０２は、そのＷｅｂページのＵＲＬ（Ｕｎｉｆｏｒｍ  Ｒｅｓｏｕｒｃｅ  Ｌｏｃａｔｏｒ）を記憶している。配信日時欄７０４は、そのＷｅｂページを配信した日時（年、月、日、時、分、秒、秒以下、又はこれらの組み合わせであってもよい。以下、同じ）を記憶している。また、Ｗｅｂページを受信した日時、表示した日時であってもよい。操作欄７０６は、そのＷｅｂページに対する操作を記憶している。具体的には、以下に詳述する。操作対象欄７０８は、その操作の対象となったＷｅｂページ内の要素（コンテンツ）を記憶している。例えば、「いいね！」ボタンが選択された場合は、その「いいね！」ボタンを識別し得る情報であるコンテンツＩＤを記憶する。操作日時欄７１０は、その操作が行われた日時を記憶している。
【００２３】
操作ログテーブル７００の操作欄７０６が記憶する操作（つまり、機械翻訳ページログ収集モジュール１１０Ａ、人手翻訳ページログ収集モジュール１１０Ｂが取得するログとしての操作）としては、例えば、次のようなものがある。なお、以下のものは例示であって、これらの全てをログとして記憶する必要はなく、また、他の操作をログとして記憶してもよい。なお、これらはログ内の項目となり、第１のＷｅｂページ又は第２のＷｅｂページでの行動パターンとなる。
（１）クリックログ
以下の操作の基本データとなるものであり、Ｗｅｂページ上でのマウス操作（カーソルの移動操作、右ボタン又は左ボタン等の選択操作）をログとして記憶する。また、Ｗｅｂページを表示する装置がタッチパネルである場合は、指等の操作（タップ、ドラッグ、フリック、ピンチイン、ピンチアウト、長押し、シェイク等）をログとして記憶する。このクリックログを解析して、以下の操作をログとして記憶してもよい。
（２）スクロールに関する操作
具体的には、スクロールが行われた回数、スクロールによる移動距離、移動方向等がある。
（３）滞在時間
次のＷｅｂページへ移動するまでの期間（第１のＷｅｂページ又は第２のＷｅｂページの表示期間）である。
（４）原Ｗｅｂページ（原言語（第１の言語）のページ）に関する操作
「原Ｗｅｂページ」を「翻訳された第１のＷｅｂページ」又は「翻訳された第２のＷｅｂページ」とともに表示する。例えば、タグ等を用いて原Ｗｅｂページを表示できるようにしてもよい。
具体的には、「原Ｗｅｂページ」への移動回数、「原Ｗｅｂページ」の滞在時間等がある。タグを用いた場合は、「原Ｗｅｂページ」のタグが選択された回数が「原Ｗｅｂページ」への移動回数となる。「原Ｗｅｂページ」のタグが選択されてから、他のタグが選択されるまでの期間又は次のＷｅｂページへ移動するまでの期間が、「原Ｗｅｂページ」の滞在時間となる。
（５）「いいね！」ボタン等に関する操作
ソーシャルネットワーキングサービス（例えば、フェイスブック、ツイッター）等における「いいね！」ボタンに関する操作である。
具体的には、「いいね！」ボタン等が選択された回数等がある。
（６）売上等に関する操作
対象としているＷｅｂページが商用目的である場合は、購入の回数、売上額、予約数等がある。
（７）コンバージョン（ＣＶ）に関する操作
コンバージョンとは、商用目的等のウェブサイト上で獲得できる最終的な成果をいい、商用目的のＷｅｂページならば商品購入、情報提供やコミュニティのためのＷｅｂページならば会員登録等がコンバージョンにあたる。なお、資料請求、問い合わせ等の一次的な成果をコンバージョンとして含めてもよい。また、コンバージョン率（Ｗｅｂページへのアクセス数に対して、コンバージョンに結びついた件数の割合）を記憶してもよい。
（８）辞書検索への遷移に関する操作
具体的には、「原Ｗｅｂページ」、「翻訳された第１のＷｅｂページ」、「翻訳された第２のＷｅｂページ」内の単語に対して、辞書検索を行った回数、辞書の種類、検索対象となった単語等がある。
（９）検索結果ページからの流入トラフィック
つまり、インターネットの検索システムにおける検索による検索結果から対象としているＷｅｂページへの流入の回数（いわゆる検索エンジンを経由したＷｅｂページへの訪問回数）を操作ログとする。
この操作ログと翻訳品質とは一定の相関がある。以下に説明する。翻訳品質が悪いと、そもそもユーザの検索クエリと一致しない可能性がある。また、検索結果のページで表示される部分の翻訳品質が悪い場合、例えば、商品タイトルの翻訳品質が悪い場合、又は、検索結果で一部だけ表示する本文の翻訳品質が悪い場合、検索結果であるＷｅｂページに対するクリックの可能性が低くなる。
【００２４】
翻訳品質スコア算出モジュール１３０は、機械翻訳ページログ記憶モジュール１２０Ａ、人手翻訳ページログ記憶モジュール１２０Ｂ、モデル生成モジュール１４０と接続されている。翻訳品質スコア算出モジュール１３０は、機械翻訳ページログ記憶モジュール１２０Ａに記憶されたログと人手翻訳ページログ記憶モジュール１２０Ｂに記憶されたログを用いて、機械翻訳システムの翻訳品質を示す値を算出する。
また翻訳品質スコア算出モジュール１３０は、第１のＷｅｂページに対する操作者の操作のログと第２のＷｅｂページに対する操作者の操作のログとの比率を用いて翻訳品質値を算出するようにしてもよい。これによって、第１のＷｅｂページと第２のＷｅｂページの操作を比べた場合の翻訳品質を示す品質評価値を用いることができる。ここでログとは、具体的には、操作ログテーブル７００の操作欄７０６に記憶されている項目である。もちろんのことながら、「第１のＷｅｂページに対する操作者の操作のログ」と「第２のＷｅｂページに対する操作者の操作のログ」は対応している項目（同じ操作を示す項目）である。また、そのＷｅｂページの属性に応じて、算出式（又はログ内の操作の項目）を決定するようにしてもよい。例えば、Ｗｅｂページの属性と算出式を対応させたテーブルを用意しておき、それを用いて算出式を決定してもよい。Ｗｅｂページの属性としては、商用目的、情報提供目的、コミュニティ目的等がある。そして、商用目的のＷｅｂページである場合は、次のような式を用いて翻訳品質値を算出するようにしてもよい。
翻訳品質値＝（第１のＷｅｂページのコンバージョン率）／（第２のＷｅｂページのコンバージョン率）
また、情報提供目的のＷｅｂページである場合は、次のような式を用いて翻訳品質値を算出するようにしてもよい。
翻訳品質値＝（第１のＷｅｂページのスクロールによる移動距離）／（第２のＷｅｂページのスクロールによる移動距離）
なお、翻訳品質値は、高いほど（１に近いほど）良好な翻訳品質であるとしている。なお、機械翻訳ページログ記憶モジュール１２０Ａ、人手翻訳ページログ記憶モジュール１２０Ｂに記憶されているログは複数あり、翻訳品質値を算出する各項目の値として、統計的な代表値（平均値、最頻値、中央値等）を用いてもよい。
【００２５】
モデル生成モジュール１４０は、機械翻訳ページログ記憶モジュール１２０Ａ、人手翻訳ページログ記憶モジュール１２０Ｂ、翻訳品質スコア算出モジュール１３０と接続されている。モデル生成モジュール１４０は、機械翻訳ページログ記憶モジュール１２０Ａに記憶されたログを用いて、翻訳品質スコア算出モジュール１３０によって算出された翻訳品質値を予測するモデルを生成する。つまり、翻訳品質値を第１のＷｅｂページに対する操作だけで予測するモデルを生成するものである。
モデル生成モジュール１４０は、機械翻訳ページログ記憶モジュール１２０Ａに記憶されたログ内の各項目に対する係数を算出することによって、モデルを生成するようにしてもよい。これによって、翻訳品質値を簡便に算出することができる。
例えば、次のような式を用いてモデルを生成する。
ａ＊（「いいね！」ボタン等が選択された回数）＋ｂ＊（スクロールが行われた回数）＋ｃ＊（辞書検索を行った回数）＋・・・＝翻訳品質値
ａ、ｂ、ｃ等は係数であり、機械翻訳ページログ記憶モジュール１２０Ａに記憶されたログ内の各項目に対して乗算する値である。このように各項目に係数を積算した値が、翻訳品質値と等しくなるように、各係数を定める。具体的には、ニューラルネットワークを用いた学習によって各係数を定めてもよい。用いる項目は、機械翻訳ページログ記憶モジュール１２０Ａに記憶されたログ内の全ての項目であってもよいし、予め定められた項目であってもよい。もちろんのことながら、機械翻訳ページログ記憶モジュール１２０Ａに記憶されているログは、学習に必要な程度に多くの操作者による操作が記憶されている。
また、モデル生成モジュール１４０は、係数の絶対値と予め定められた値を比較することによって、モデルを修正するようにしてもよい。ここでの修正とは、前述のモデルの式内の係数と項目の乗算の項を削除することである。係数の絶対値としたのは、係数は負の値をとることもあるからである。係数の絶対値が予め定められた値以下又は未満である場合に、その係数は０と同等とみなしてもよく、つまり、その係数を乗算する項目は、モデルには必要ないことを示している。したがって、モデルからその項目を削除することを行ってもよいし、ログ収集モジュールは、その項目のログを収集しないようにしてもよい。
【００２６】
本実施の形態である翻訳品質スコア算出装置２００は、機械翻訳システムを用いて翻訳されたＷｅｂページに対して、翻訳品質を評価するものであって、図２の例に示すように、機械翻訳ページログ収集モジュール２１０、機械翻訳ページログ記憶モジュール２２０、翻訳品質スコア算出モジュール２３０を有している。
機械翻訳ページログ収集モジュール２１０は、機械翻訳ページログ記憶モジュール２２０と接続されている。機械翻訳ページログ収集モジュール２１０は、前述の図１に例示の機械翻訳ページログ収集モジュール１１０Ａと同等の処理を行う。ただし、ここで対象としているＷｅｂページは、機械翻訳システムを用いて翻訳されたものであり、翻訳者によって翻訳されたＷｅｂページは不要である。つまり、モデル生成用のＷｅｂページではなく、翻訳品質を評価するためのＷｅｂページである。
機械翻訳ページログ記憶モジュール２２０は、機械翻訳ページログ収集モジュール２１０、翻訳品質スコア算出モジュール２３０と接続されている。機械翻訳ページログ記憶モジュール２２０は、第１の言語で記載された原Ｗｅｂページを機械翻訳システムによって第２の言語に翻訳したＷｅｂページに対する操作者の操作のログを記憶している。前述の図１に例示の機械翻訳ページログ記憶モジュール１２０Ａと同等の情報を記憶する。もちろんのことながら、ここでの原Ｗｅｂページは、モデル生成に用いた原Ｗｅｂページとは異なるＷｅｂページである。したがって、第２の言語に翻訳された結果であるＷｅｂページも、モデル生成に用いた第１のＷｅｂページとは異なる。
翻訳品質スコア算出モジュール２３０は、機械翻訳ページログ記憶モジュール２２０、モデル生成モジュール１４０と接続されている。ここで、モデル生成モジュール１４０は、図１に例示した翻訳品質モデル生成装置１００内のモデル生成モジュール１４０である。翻訳品質スコア算出モジュール２３０は、モデル生成モジュール１４０が生成したモデルを用いて、機械翻訳ページログ記憶モジュール２２０に記憶されたログから機械翻訳システムによって翻訳したＷｅｂページにおける翻訳品質値を算出する。具体的には、前述のモデルの式（ａ、ｂ、ｃ等の係数が定まった式）に、機械翻訳ページログ記憶モジュール２２０内の各項目の値を代入することによって、翻訳品質値を算出する。
また、翻訳品質スコア算出モジュール２３０は、予め定められた基準値を用いた判断を行うようにしてもよい。例えば、翻訳品質値がその基準値以上である場合は、翻訳者によって翻訳されたＷｅｂページと比較して遜色ない翻訳品質が得られていると考えられるので、機械翻訳システムによって翻訳されたＷｅｂページをそのまま使い、その基準値未満である場合は、改善が必要なＷｅｂページであると判断し、その判断結果を表示する。
なお、図１に例示の翻訳品質モデル生成装置１００と図２の例示の翻訳品質スコア算出装置２００を組み合わせてもよい。
【００２７】
図３は、本実施の形態（翻訳品質モデル生成装置１００、翻訳品質スコア算出装置２００）における主にデータの流れの例を示す説明図である。
機械翻訳ページ３１０Ａは、原Ｗｅｂページを機械翻訳システムによって翻訳したＷｅｂページである。人手翻訳ページ３１０Ｂは、その原Ｗｅｂページを翻訳者によって翻訳したＷｅｂページである。機械翻訳ページ３１０Ａと人手翻訳ページ３１０Ｂは、同じ原Ｗｅｂページから生成されたものであり、その内容は同じである。もちろんのことながら、ここでの同内容とは、同じＷｅｂページに対して、機械翻訳システムによる翻訳（機械翻訳ページ３１０Ａ）と翻訳者による翻訳（人手翻訳ページ３１０Ｂ）が行われたという意味であって、その表現までもが全て同一であるという意味ではない。
ユーザ３０１、ユーザ３０２は、それぞれが所持している端末（ノートＰＣ、スマートフォン等を含む携帯情報端末等）を用いて機械翻訳ページ３１０Ａに対して操作を行う。一方、ユーザ３０３、ユーザ３０４は、それぞれが所持している端末を用いて人手翻訳ページ３１０Ｂに対して操作を行う。ユーザ３０１、ユーザ３０２とユーザ３０３、ユーザ３０４は同一人物である必要はなく、モデル生成のために必要な人数である。また、試験的に用意されたユーザである必要はなく、一般的なユーザ（購入者等）であってもよい。機械翻訳ページ３１０Ａに対するログは機械翻訳ログ３２０Ａに記録され、人手翻訳ページ３１０Ｂに対するログは人手翻訳ログ３２０Ｂに記録される。
機械翻訳ログ３２０Ａは機械翻訳ページログ記憶モジュール１２０Ａ内の内容、人手翻訳ログ３２０Ｂは人手翻訳ページログ記憶モジュール１２０Ｂ内の内容を示しており、翻訳品質スコア予測モデル３３０はモデル生成モジュール１４０が生成したモデルを示している。つまり、翻訳品質スコア算出モジュール１３０、モデル生成モジュール１４０の処理によって翻訳品質スコア予測モデル３３０を生成する。
機械翻訳ページ３６０は、機械翻訳システムによって翻訳したＷｅｂページである。ユーザ３５１は、所持している端末を用いて機械翻訳ページ３６０に対して操作を行う。もちろんのことながら、機械翻訳ページ３６０は複数人であってもよい。機械翻訳ページ３６０に対するログはログ３７０に記録される。ログ３７０は機械翻訳ページログ記憶モジュール２２０内の内容、翻訳品質スコア３８０は翻訳品質スコア算出モジュール２３０が算出した翻訳品質値を示している。また、評価結果（そのまま）３９２、評価結果（要改善）３９４は、翻訳品質スコア算出モジュール２３０が翻訳品質スコア３８０から判断した結果を示している。
【００２８】
図４は、本実施の形態を実現するためのシステム構成例を示す説明図である。Ｗｅｂページ評価システム４００は、翻訳品質モデル生成装置１００、翻訳品質スコア算出装置２００、Ｗｅｂページサーバー４１０、ログ収集装置４２０を有している。Ｗｅｂページ評価システム４００、機械翻訳システム４３０、端末４４０Ａ、端末４４０Ｂ、端末４４０Ｃ、端末４４０Ｄ、端末４４０Ｅは、通信回線４９９を介してそれぞれ接続されている。
例えば、原Ｗｅｂページを機械翻訳システム４３０が翻訳し、その翻訳結果であるＷｅｂページをＷｅｂページサーバー４１０内に記憶させる。また、その原Ｗｅｂページを翻訳者が翻訳したＷｅｂページもＷｅｂページサーバー４１０内に記憶させる。翻訳品質の評価対象であるＷｅｂページもＷｅｂページサーバー４１０内に記憶させる。
そして、端末４４０Ａ、端末４４０Ｂ等は、Ｗｅｂページサーバー４１０内のＷｅｂページにアクセスする。その際に、端末４４０Ａ、端末４４０Ｂ等が表示しているＷｅｂページに対する操作のログをログ収集装置４２０が収集する。例えば、端末４４０Ａ、端末４４０Ｂ等が操作を検知し、その検知結果を、通信回線４９９を介してログ収集装置４２０へ送信する。そして、ログ収集装置４２０が収集したログを翻訳品質モデル生成装置１００又は翻訳品質スコア算出装置２００に渡し、翻訳品質モデル生成装置１００はモデルを生成し、翻訳品質スコア算出装置２００はそのモデルを用いて評価対象としているＷｅｂページの翻訳品質値を算出する。
【００２９】
図５は、本実施の形態（翻訳品質モデル生成装置１００）による処理例を示すフローチャートである。
ステップＳ５０２では、Ｗｅｂページサーバー４１０が、機械翻訳Ｗｅｂページ（第１のＷｅｂページ）を準備する。
ステップＳ５０４では、ログ収集装置４２０が、ログ収集を行う。
ステップＳ５０６では、機械翻訳ページログ収集モジュール１１０Ａが、翻訳品質モデル生成用ログ収集を行う。
ステップＳ５１２では、Ｗｅｂページサーバー４１０が、人手翻訳Ｗｅｂページ（第２のＷｅｂページ）を準備する。
ステップＳ５１４では、ログ収集装置４２０が、ログ収集を行う。
ステップＳ５１６では、人手翻訳ページログ収集モジュール１１０Ｂが、翻訳品質モデル生成用ログ収集を行う。
ステップＳ５２０では、翻訳品質スコア算出モジュール１３０が、翻訳品質スコアを算出する。
ステップＳ５２２では、モデル生成モジュール１４０が、翻訳品質スコア予測モデルを生成する。
ステップＳ５２４では、モデル生成モジュール１４０が、翻訳品質スコア予測モデルを翻訳品質スコア算出装置２００の翻訳品質スコア算出モジュール２３０に出力する。
【００３０】
図６は、本実施の形態（翻訳品質スコア算出装置２００）による処理例を示すフローチャートである。
ステップＳ６０２では、Ｗｅｂページサーバー４１０が、機械翻訳Ｗｅｂページを準備する。
ステップＳ６０４では、ログ収集装置４２０が、ログ収集を行う。
ステップＳ６０６では、機械翻訳ページログ収集モジュール２１０が、翻訳品質モデル生成用ログ収集を行う。
ステップＳ６０８では、翻訳品質スコア算出モジュール２３０が、翻訳品質スコア予測モデルを受け付ける。
ステップＳ６１０では、翻訳品質スコア算出モジュール２３０が、翻訳品質スコアを算出する。
ステップＳ６１２では、翻訳品質スコア算出モジュール２３０が、機械翻訳Ｗｅｂページを評価する。
【００３１】
なお、本実施の形態（翻訳品質モデル生成装置１００、翻訳品質スコア算出装置２００、Ｗｅｂページ評価システム４００、機械翻訳システム４３０）としてのプログラムが実行されるコンピュータのハードウェア構成は、図８に例示するように、一般的なコンピュータであり、具体的にはパーソナルコンピュータ、サーバーとなり得るコンピュータ、携帯電話（スマートフォンを含む）等である。つまり、具体例として、処理部（演算部）としてＣＰＵ８０１を用い、記憶装置としてＲＡＭ８０２、ＲＯＭ８０３、ＨＤ８０４を用いている。ＨＤ８０４として、例えばハードディスクを用いてもよい。機械翻訳ページログ収集モジュール１１０Ａ、人手翻訳ページログ収集モジュール１１０Ｂ、翻訳品質スコア算出モジュール１３０、モデル生成モジュール１４０、機械翻訳ページログ収集モジュール２１０、翻訳品質スコア算出モジュール２３０等のプログラムを実行するＣＰＵ８０１と、そのプログラムやデータを記憶するＲＡＭ８０２と、本コンピュータを起動するためのプログラム等が格納されているＲＯＭ８０３と、補助記憶装置であるＨＤ８０４と、キーボード、マウス、タッチパネル等に対する利用者の操作に基づいてデータを受け付ける受付装置８０６と、液晶ディスプレイ等の出力装置８０５と、ネットワークインタフェースカード等の通信ネットワークと接続するための通信回線インタフェース８０７、そして、それらをつないでデータのやりとりをするためのバス８０８により構成されている。これらのコンピュータが複数台互いにネットワークによって接続されていてもよい。
【００３２】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図８に示すハードウェア構成は、１つの構成例を示すものであり、本実施の形態は、図８に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図８に示すシステムが複数互いに通信回線によって接続されていて互いに協調動作するようにしてもよい。
【００３３】
また、前述の実施の形態の説明において、予め定められた値との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００３４】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００３５】
１００…翻訳品質モデル生成装置
１１０Ａ…機械翻訳ページログ収集モジュール
１１０Ｂ…人手翻訳ページログ収集モジュール
１２０Ａ…機械翻訳ページログ記憶モジュール
１２０Ｂ…人手翻訳ページログ記憶モジュール
１３０…翻訳品質スコア算出モジュール
１４０…モデル生成モジュール
２００…翻訳品質スコア算出装置
２１０…機械翻訳ページログ収集モジュール
２２０…機械翻訳ページログ記憶モジュール
２３０…翻訳品質スコア算出モジュール
４００…Ｗｅｂページ評価システム
４１０…Ｗｅｂページサーバー
４２０…ログ収集装置
４３０…機械翻訳システム
４４０…端末
４９９…通信回線
【図１】
2014241069.tif 000003
【図２】
2014241069.tif 000004
【図３】
2014241069.tif 000005
【図４】
2014241069.tif 000006
【図５】
2014241069.tif 000007
【図６】
2014241069.tif 000008
【図７】
2014241069.tif 000009
【図８】
2014241069.tif 000010